(57)【要約】【課題】  ケラチン物質、特に皮膚および毛髪等のヒトのケラチン繊維を処置するための、化粧料組成物の製法、並びにこの組成物を用いた、ケラチン物質を処置するための化粧学的な方法を提供する。【解決手段】  少なくとも0.3MPa(3 bar)なる圧力下で、少なくとも蒸気を含む流体を、固体またはペースト状態にある少なくとも1種のエステルに浸透させる工程を含むことを特徴とする、ケラチン物質を処置するための化粧料組成物の製法、および上記方法で製造した組成物を、例えばオペレータにより、あるいはヒトの介入を全く必要としないデバイスにより、ケラチン物質に適用する工程を含む、ケラチン物質を化粧学的に処置するための方法。【特許請求の範囲】
【請求項１】
ケラチン物質を処置するための化粧料組成物の製法であって、少なくとも0.3MPa(3 bar)なる圧力下で、少なくとも蒸気を含む流体を、固体又はペースト状態にある少なくとも1種のエステルに浸透させる工程を含むことを特徴とする、上記方法。
【請求項２】
該流体が、場合により液体としての水を含む蒸気、又は場合により液体としての水を含む蒸気と、1種又はそれ以上の化粧学的に許容される液状及び/又は気体状の溶媒との混合物からなる、請求項1記載の方法。
【請求項３】
該エステルが、直鎖又は分岐C7-C30モノカルボン酸と直鎖又は分岐C8-C30モノアルコールとのエステル；直鎖又は分岐C7-C30不飽和モノカルボン酸又は芳香族C6-C30モノカルボン酸と直鎖又は分岐C8-C30モノアルコールとのエステル；直鎖又は分岐C10-C30モノカルボン酸とエチレングリコールとのモノ-及びジ-エステル；直鎖又は分岐の、飽和又は不飽和のC10-C30モノカルボン酸とC3-ポリオールとのモノ-、ジ-又はトリ-エステル；直鎖又は分岐、飽和又は不飽和の、又は芳香族のC7-C30モノカルボン酸と非-ポリオキシアルキレン化C4-C50ポリオールとのモノ-又はポリエステル；直鎖又は分岐、飽和又は不飽和、芳香族又は非-芳香族系の、ヒドロキシル化又は非-ヒドロキシル化C4-C30ジカルボン酸又はトリカルボン酸と、直鎖又は分岐のC7-C50モノオール又はポリオールとのモノ-、ジ-又はトリ-エステル；ポリオキシアルキレン化又はポリグリセロール化された酸及び/又はアルコールのモノ-又はポリエステル、ここで該酸の非-オキシアルキレン化又は非-グリセロール化部分は、C10-C30のものである；水素化オイル又は水素化ワックス；直鎖又は分岐、飽和又は不飽和C7-C30モノカルボン酸とヒドロキシ酸とのエステル化によって得られる酸の塩；モノマーの少なくとも1種が、エステルであるポリマー；及び少なくとも1種のポリ酸と、少なくとも1種のポリオールとの重縮合により得られるポリマーから選択される、請求項1又は2記載の方法。
【請求項４】
該エステルがセチルパルミテート、ミリスチルミリステート、ステアリルヘプタノエート、イソステアリルベヘネート、セチルイソオクタノエート、2-デシルミリスチル2-デシルミリステート及びベヘニルベヘネート；ステアリルベンゾエート、セチルリシノレエート、2-オクチルドデシルエルケート及びベヘニルベンゾエート；エチレングリコールモノステアレート、エチレングリコールジステアレート及びエチレングリコールジミリステート；グリセリルモノ-、ジ-及びトリ-ステアレート、グリセリルモノ-、ジ-及びトリ-ベヘネート、プロピレングリコールモノミリステート、グリセリルパルミトステアレート、グリセリルモノオレエート、グリセリルトリステアロベヘネート、グリセリルトリウンデカノエート、シア脂、木蝋、イリッペ脂及びココアバター；スクロースベンゾエート、ペンタエリスリチルテトライソステアレート、ペンタエリスリチルテトラベヘネート、ペンタエリスリチルテトララウレート、ソルビタンパルミテート、O-オクタノイル-6'-D-マルトース、ソルビタンモノステアレート、スクロースラウレート、ネオペンチルグリコールジベンゾエート、ペンタエリスリチルテトラベンゾエート、ココナッツ脂肪酸とソルビトールとのエステル、ジトリメチロールプロパンテトラステアレート、ジペンタエリスリチルヘキサステアレート、メチルグルコースモノ-及びジ-ステアレート、スクロースジラウレート、デキストリンパルミテート、スクロースモノ-及びジパルミトステアレート、メチルグルコースセスキステアレート及びヘキシルグルコシドモノココエート；ジベヘニルフマレート、タローモノグリセリドのクエン酸エステル、ジココイル/ジステアリル/ペンタエリスリチルシトレート、ジミリスチルタルタレート、ジヘキシル、ジオクチル、ジラウリル又はジセチルムケート、ジラウリルシトレート及びトリラウリルシトレート；80Mのエチレンオキシド(又はEO)を含むホホバ油及び120MのEOを含むホホバワックス、3MのEOを含有するミリスチルミリステート、トリエチレングリコールモノステアレート及びジステアレート、8、25、30又は100MのEOを含むポリエチレングリコールモノステアレート、8、150及び250MのEOを含有するポリエチレングリコールジステアレート、150MのEOを含むポリエチレングリコールジベヘネート、90MのEOを含むポリエチレングリコールジイソステアレート、6、8又は12MのEOを含むオキシエチレン化蜜蝋、4MのEOを含むオキシエチレン化ソルビタンモノステアレート、200MのEOを含むオキシエチレン化ソルビタントリイソステアレート、6MのEOを含むオキシエチレン化ソルビタンヘキサステアレート、120MのEOを含むオキシエチレン化メチルグルコシドジオレエート、75MのEOを含むオキシエチレン化シア脂、25MのEOを含むオキシエチレン化ヒマシ油、又は6Mのグリセロールを含むポリグリセロール化パルミトステアレート；水素化された菜種油、マカダミア油、ヒマシ油、綿実油、大豆油、ホホバ油、パーム油、米糠油又はヒマワリ油、及び水素化されたヒマワリワックス；ナトリウムラウロイルラクチレート及びナトリウムベヘノイルラクチレート；ポリ(メチルメタクリレート)、ポリ(ビニルアセテート)、ポリカプロラクトン、ポリ(ステアリルアクリレート)及びポリ(エチルアクリレート)；酢酸ビニ��とエチレンとのコポリマー、酢酸ビニル/ビニルベルサテート/ブチルアクリレートコポリマー、アクリル酸/ステアリルメタクリレートコポリマー、N-オクチルアクリルアミド/メチルメタクリレート/ヒドロキシプロピルメタクリレート/アクリル酸/t-ブチルアミノエチルメタクリレートコポリマー、乳酸/ビニルピロリドン/ラウリルメタクリレートコポリマー；及びポリ(ネオペンチルグリコールテレフタレート)、ジグリコール/シクロヘキサンジメタノール/イソフタレート/スルホイソフタレートポリマー、ポリグリセロールとエイコサジオイック酸とのポリエステル、トリメチロールプロパンとジメチロールプロピオン酸とのポリエステル、ポリエチレングリコールとアジピン酸とのポリマー、及びセバシン酸とブチレングリコールとのポリマーから選択される、請求項3記載の方法。
【請求項５】
固体又はペースト形状にある該エステルを、少なくとも1種のアジュバントとの混合物として使用する、上記請求項の何れか1項に記載の方法。
【請求項６】
該アジュバントが、クレー、塩、アニオン性、ノニオン性、カチオン性又は双性イオン性界面活性剤、天然又は合成増粘剤、場合により変性された澱粉、ガラスビーズ、シリカ、ナイロン、アルミナ、二酸化チタン、ゼオライト、ポリ(メチルメタクリレート) (PMMA)、キトサン、マルトデキストリン、シクロデキストリン、モノ-又はジ-サッカライド、酸化亜鉛、酸化ジルコニウム、シリカビーズ、タルク、ポリアスパラギン酸、ホウ珪酸塩、特にホウ珪酸カルシウム、ポリエチレン、綿、ポリテトラフルオロエチレン(PTFE)、セルロース及びその誘導体、超吸収性化合物、炭酸マグネシウム、炭酸カルシウム、コーン種子、ポリアクリルアミド、多孔質ヒドロキシアパタイト、絹、コラーゲン、鋸屑、海草粉末、小麦、米、エンドウ、ルピナス種子、大豆又は大麦の粗粉又は抽出物、架橋したポリビニルピロリドン、アルギン酸カルシウム、活性炭素、及びポリ(ビニリデンクロリド/アクリロニトリル)粒子から選択される、請求項5記載の方法。
【請求項７】
該エステルが、固体又はペースト形状にあるエステル及びアジュバントの全質量を基準として、0.5〜99質量％なる範囲、好ましくは1〜80質量％なる範囲の量で存在する、請求項5又は6記載の方法。
【請求項８】
得られる化粧学的処置組成物が、場合により、該エステル及び該流体の成分に加えて、固体又はペースト形状の混合物として存在する、アジュバントの全て又はその幾分かをも含む、請求項5〜7の何れか1項に記載の方法。
【請求項９】
該浸透工程を、0.3〜3 MPa (3〜30 bar)なる範囲の圧力下にある流体を用いて行う、上記請求項の何れか1項に記載の方法。
【請求項１０】
該浸透工程を、少なくとも1 MPa (10 bar)なる圧力下にある流体を用いて行う、請求項9記載の方法。
【請求項１１】
上記請求項の何れか1項に記載の方法によって得ることのできる、ケラチン物質を処置するための化粧料組成物。
【請求項１２】
保存剤を含まない、請求項11記載のケラチン物質を処置するための化粧料組成物。
【請求項１３】
化粧処置用組成物を、請求項1〜10の何れか1項に記載の方法によって製造し、この組成物をケラチン物質に適用することを特徴とする、ケラチン物質を処置するための化粧学的方法。
【請求項１４】
該組成物を、ヒトの介入を全く必要としないデバイスによって、該ケラチン物質に適用する、請求項13記載のケラチン物質を処置するための化粧学的方法。
【請求項１５】
該組成物の適用前に、請求項1〜10の何れか1項に記載の方法によって製造した、該化粧処置用の組成物を、化粧学的に許容される媒体及び/又は化粧品において使用されている1種又はそれ以上の添加物と混合する、請求項13記載のケラチン物質を処置するための化粧学的方法。
【請求項１６】
少なくとも2種の化粧処置用の組成物を、請求項1〜10の何れか1項に記載の方法によって製造し、これら組成物を一緒に混合し、該混合物をケラチン物質に適用することを特徴とする、ケラチン物質を処置するための化粧学的方法。
【請求項１７】
化粧料組成物を包装するためのデバイスであって、少なくとも一つの壁によって境界が定められた、閉じたハウジングを含み、該少なくとも一つの壁は、少なくとも0.3 MPa (3 bar)なる圧力下で、流体に対して、少なくとも部分的に透過性であり、該組成物が少なくとも1種のエステルを、固体又はペースト状態で含むことを特徴とする、上記デバイス。
【請求項１８】
該ハウジングが、二枚の封止されたシートによって、その境界が定められている、請求項17記載のデバイス。
【請求項１９】
該ハウジングが、蓋によって閉じられたトレイにより、その境界が定められている、請求項17記載のデバイス。
【請求項２０】
請求項1〜10の何れか1項に記載の方法によって調製した組成物の、ケラチン物質の化粧学的な処置における使用。
【請求項２１】
毛髪又は皮膚のコンディショニングのための、請求項20記載の使用。
【発明の詳細な説明】
【技術分野】
【０００１】
本発明は、ケラチン物質、特に皮膚及び毛髪等のヒトのケラチン繊維を処置するための、化粧料組成物の製法、並びにこの組成物を用いた、ケラチン物質を処置するための化粧学的な方法に関するものである。
【背景技術】
【０００２】
化粧料分野では、ケラチン物質、例えば過敏性毛髪、即ち遊離基等の大気中の薬物の化学的作用、光及び汚染物の作用により、及び/又はパーマネントウエーブ、染髪又は脱色処理等の毛髪の処置により損傷を受けた、あるいは脆弱化されている毛髪の化粧学的な特性を改善することが、恒常的に探求されている。従って、エステル等のコンディショニング剤を含む、化粧処置用の組成物であって、ケラチン物質が、多かれ少なかれ反復的に受ける、様々な処置又は影響因子によって生じる、有害作用又は悪影響からの該物質の復元、若しくはこれら作用を制限するための該組成物を、これらの物質に適用する。これらのコンディショニング剤は、また天然の毛髪の化粧学的性質をも改善することができる。
ケラチン物質に対するコンディショニング剤、例えばエステルは、湿った又は乾燥した髪に、特に良好なくし通り性、滑らかさ、柔軟性及び光沢を付与する。
これらコンディショニング剤は、また皮膚に良好な湿潤性及び良好な養分付加等の化粧学的特性を与える。
【発明の開示】
【発明が解決しようとする課題】
【０００３】
しかし、このようなコンディショニング剤を含む化粧処置用組成物は、一般に水性組成物であって、該薬物はそこに溶解しなければならない。これら化合物の低い溶解性は、これら組成物のコンディショニング力を低下させる。さらに、この溶解度における基準は、ケラチン物質の化粧学的処置のために使用できるエステルの数を減じてしまう。この問題は、特に高い融点を持つ化合物に当てはまる。
【課題を解決するための手段】
【０００４】
本出願人は、驚いたことに、ケラチン物質の処置用の化粧料組成物を製造するための新規な方法を用いることによって、多少ともコンディショニング剤が濃縮されている組成物を、2分未満の極めて短い時間で、必要に応じて、特に保存剤を使用することなしに、得ることができ、上に概説した溶解度の問題が解決できることを見出した。
【発明を実施するための最良の形態】
【０００５】
この方法は、簡単に実施され、また消費者のニーズにとって適している。好ましくは30℃以上の温度を持つ流体は、1分未満という極めて短時間に渡り、固体又はペースト状態、好ましくは固体状態及びより一層好ましくは粉末状態にある少なくとも1種のコンディショニング剤に、加圧下で通される。
また、水性組成物において不安定なコンディショニング剤を、無水状態で使用することも可能である。というのは、これらが、水と反応するか、あるいはこれらが、無水組成物中ではこれらと反応しない化合物と、水性溶液中では反応するからである。この問題は、特にエステルの場合に当てはまる。
本発明の方法に従って製造した組成物は、限られた貯蔵安定性を持つ恐れがあるが、これはこの場合欠点ではない。というのは、この方法は、組成物の調製後即座に、例えばその製造後5分以内に、特にケラチン物質に許容される温度まで、好ましくは60℃以下まで、より好ましくは50℃以下まで冷却した後に使用するための、直に使用する組成物に導くからである。該組成物は、該コンディショニング剤の劣化速度に応じて、その製造から1週間後まで使用できる。
【０００６】
このように極めて短い製造時間を与えることにより、所定の化粧学的特性に従って、様々な化粧学的に活性な化合物を混合することによって、該化粧学的処置用の組成物を、「必要に応じて」製造することが可能となる。
他の態様では、該コンディショニング剤は、直に使用できるデバイスにより、包装することができるので、予め溶液中の該薬物の濃度を測定する必要がなく、このことは、使用者による測定誤差を抑制する。
さらに、本発明の方法は、多重仕切りボトルの使用を回避することを可能とし、このために、使用者にとって、この方法は、特に経済的かつ安全なものとなっている。
このようにして得た組成物は、単独で、又は他の組成物との混合物として使用できる。
この製法の更なる利点は、良好な化粧料特性を持つ組成物の製造である。特に、本発明の方法に従って得た組成物で処置したケラチン繊維は、改善されたコンディショニング特性、特にくし通り性、滑らかさ、光沢及びソフトな感触に関する特性を持ち、またこのようにして処置した皮膚は、改善された柔軟性、改善された平滑な特性及び改善されたしっとり感を持つ。
【０００７】
従って、本発明の課題の一つは、ケラチン物質を処置するための化粧料組成物の製法を提供することにあり、この方法は、少なくとも約0.3MPa(3 bar)なる圧力下で、流体を、固体又はペースト状態にある少なくとも1種のエステルに浸透させる工程を含むことを特徴とする。
本発明のもう一つの課題は、本発明の上記方法により得られる組成物を提供することにある。
本発明の課題は、また本発明の上記方法により得られる組成物の、ケラチン物質の化粧処置、特に毛髪及び皮膚をコンディショニングするための使用を提供することにある。
本発明のもう一つの課題は、本発明の上記製法を実施するための、包装デバイスを提供することにある。
本発明のその他の課題、特徴、局面及び利点は、以下に記載される説明及び実施例を読んだ際に、より一層明らかになるであろう。
【０００８】
本発明によれば、ケラチン物質を処置するための化粧料組成物の製法は、好ましくは30℃以上、より好ましくは30〜150℃なる範囲、さらに好ましくは40〜120℃なる範囲の温度にて、少なくとも約0.3MPa(3 bar)なる圧力の下で、固体又はペースト状態にある、少なくとも1種のエステルに、流体を浸透させる工程を含む。
浸透とは、多孔質媒体を介して流体を移動させて、圧力の作用又は影響によって、該流体を通過させることである。
本発明の方法において使用する該流体は、少なくとも蒸気を含むものである。このものは、場合により液体としての水を含む蒸気、あるいは場合により液体としての水を含む蒸気と、1種以上の化粧学的に許容される液状及び/又は気体状溶媒との混合物からなるものであり得る。好ましくは、該流体は、液体としての水を含んでいてもよい蒸気である。
例示可能な有機溶媒の例は、C1-C4低級アルコール、例えばエタノール及びイソプロパノール；ポリオール及びポリオールエーテル、例えば2-ブトキシエタノール、プロピレングリコール、プロピレングリコールモノメチルエーテル、ジエチレングリコールモノメチルエーテル及びジエチレングリコールモノエチルエーテル；また芳香族アルコール、例えばベンジルアルコール又はフェノキシエタノール；及びこれらの混合物を含む。
【０００９】
固体又はペースト状態にある該エステルは、好ましくは固体状態にあり、またより一層好ましくは粉末状態にある。
本発明の目的にとって、該用語「ペースト状態」とは、固相及び液相の中間のコンシステンシーを持つものを意味するものとする。このペースト状相の粘度は、剪断速度10 s-1で、25℃にて、好ましくは0.1 Pa.sを越えるものであり、またより一層好ましくは1 Pa.sを越えるものである。
該用語「ケラチン物質」とは、皮膚、口唇及び/又は外皮、例えばツメ、ケラチン繊維、例えば眉毛、睫及び毛髪を意味するものとする。
本発明の方法は、加圧流体を生成するための標準的なデバイスを用いて、好ましくは30℃以上、及びより好ましくは30〜150℃なる範囲及びより一層好ましくは40〜120℃なる範囲の温度にて実施することができる。このようなデバイスは、耐熱ブロックを備えた、耐圧性のチャンバー及び生成する該流体を、本発明において使用する該コンディショニング剤まで搬送する回路を含む。
もう一つの態様によれば、このデバイスは、さらに液体の貯蔵槽及び該液体を該チャンバーまで搬送するためのポンプを含む。
この貯蔵槽に含まれる該液体は、水、又は化粧学的に許容される溶媒又は幾つかの化粧学的に許容される溶媒の混合物、あるいは水と1種以上の化粧学的に許容される溶媒との混合物である。好ましくは、該液体は水である。
本発明の方法を実施するのに特に有用なデバイスは、「エスプレッソ」式のコーヒー飲料製造装置である。このような装置は、当分野において周知である。例えば、これらの装置は、特許：AT 168,405、US 2,688,911、DE 324 33 870及びIT 1,265,636に記載されている。
【００１０】
本発明の特定の態様によれば、該浸透(パーコレーション)段階は、30℃以上、好ましくは30〜150℃なる範囲及びより一層好ましくは40〜120℃なる範囲の温度にて、約0.3〜3 MPa (3〜30 bar)なる範囲、好ましくは少なくとも約0.4 MPa (4 bar)、より好ましくは約1 MPa (10 bar)以上、及び最も好ましくは約1〜3 MPa (10〜30 bar)なる範囲の圧力にて、流体を使用して行われる。
固体又はペースト形状にある少なくとも1種のエステルを含む化粧組成物は、この目的のための容器内で、該加圧流体を発生するデバイス内で直接使用することができる。該組成物は、また特定の包装デバイス内で包装することができ、このデバイスは、少なくとも一つの壁によって境界が定められた、閉じたハウジングを含み、該少なくとも一つの壁は、少なくとも約0.3 MPa (3 bar)なる圧力下にある流体に対して、少なくとも部分的に透過性である。このようなデバイスは、例えば特許出願：WO 00/56629、EP 512470、US 5,897,899又はWO 99/03753に記載されている。これらの包装デバイスは、一般に空気、湿度及び/又は光に対して保護されている。
特定の態様によれば、該ハウジングは、二枚の封止したシートによって、境界が定められている。もう一つの態様によれば、該ハウジングは、蓋で閉じられたトレイによって、境界が定められている。
これらのデバイスは、織り又は不織りプラスチック又は植物材料、例えばセルロース、アルミニウム等の金属、あるいは複合材料から製造できる。このようなデバイスは、例えば特許出願：WO 00/56629、EP 512470、US 5,897,899又はWO 99/03573に記載されている。
【００１１】
本発明において使用可能なエステルは、モノマー型又はポリマー型のものであり得る。これらは、好ましくは非-シリコーン系及び非-カチオン性のものである。
特に列挙できるこれらエステルの例は、以下に記載するものを含む：
・直鎖又は分岐C7-C30モノカルボン酸と直鎖又は分岐C8-C30モノアルコールとのエステル、例えばセチルパルミテート、ミリスチルミリステート、ステアリルヘプタノエート、イソステアリルベヘネート、セチルイソオクタノエート、2-デシルミリスチル2-デシルミリステート及びベヘニルベヘネート； 
・直鎖又は分岐C7-C30不飽和モノカルボン酸又は芳香族C6-C30モノカルボン酸と直鎖又は分岐C8-C30モノアルコールとのエステル、例えばステアリルベンゾエート、セチルリシノレエート、2-オクチルドデシルエルケート及びベヘニルベンゾエート； 
・直鎖又は分岐C10-C30モノカルボン酸とエチレングリコールとのモノ-及びジ-エステル、例えばエチレングリコールモノステアレート、エチレングリコールジステアレート及びエチレングリコールジミリステート；
・直鎖又は分岐の、飽和又は不飽和のC10-C30モノカルボン酸とC3-ポリオールとのモノ-、ジ-又はトリ-エステル、例えばグリセリルモノ-、ジ-及びトリ-ステアレート、グリセリルモノ-、ジ-及びトリ-ベヘネート、プロピレングリコールモノミリステート、グリセリルパルミトステアレート、グリセリルモノオレエート、グリセリルトリステアロベヘネート、グリセリルトリウンデカノエート、シア脂、木蝋、イリッペ脂及びココアバター；
【００１２】
・直鎖又は分岐、飽和又は不飽和のC7-C30モノカルボン酸又は芳香族のC7-C30モノカルボン酸と、非-ポリオキシアルキレン化C4-C50ポリオール、及び特に糖とのモノ-又はポリエステル。例示可能な具体例は、スクロースベンゾエート、ペンタエリスリチルテトライソステアレート、ペンタエリスリチルテトラベヘネート、ペンタエリスリチルテトララウレート、ソルビタンパルミテート、O-オクタノイル-6'-D-マルトース、ソルビタンモノステアレート、スクロースラウレート、ネオペンチルグリコールジベンゾエート、ペンタエリスリチルテトラベンゾエート、ココナッツ脂肪酸とソルビトールとのエステル、ジトリメチロールプロパンテトラステアレート、ジペンタエリスリチルヘキサステアレート、メチルグルコースモノ-及びジ-ステアレート、スクロースジラウレート、デキストリンパルミテート、スクロースモノ-及びジパルミトステアレート、メチルグルコースセスキステアレート及びヘキシルグルコシドモノココエートを包含する； 
・直鎖又は分岐、飽和又は不飽和、芳香族又は非-芳香族系の、ヒドロキシル化又は非-ヒドロキシル化C4-C30ジカルボン酸又はトリカルボン酸と、直鎖又は分岐のC7-C50モノオール又はポリオールとのモノ-、ジ-又はトリ-エステル。例示可能な具体例は、ジベヘニルフマレート、タローモノグリセリドのクエン酸エステル、ジココイル/ジステアリル/ペンタエリスリチルシトレート、ジミリスチルタルタレート、ジヘキシル、ジオクチル、ジラウリル又はジセチルムケート、ジラウリルシトレート及びトリラウリルシトレートを包含する；
【００１３】
・ポリオキシアルキレン化又はポリグリセロール化された酸及び/又はアルコールのモノ-又はポリエステル、ここで該酸の非-オキシアルキレン化又は非-グリセロール化部分は、C10-C30のものである。その例は、例えば80Mのエチレンオキシド(又はEO)を含むホホバ油及び120MのEOを含むホホバワックス、3MのEOを含有するミリスチルミリステート、トリエチレングリコールモノステアレート及びジステアレート、8、25、30又は100MのEOを含むポリエチレングリコールモノステアレート、8、150及び250MのEOを含有するポリエチレングリコールジステアレート、150MのEOを含むポリエチレングリコールジベヘネート、90MのEOを含むポリエチレングリコールジイソステアレート、6、8又は12MのEOを含むオキシエチレン化蜜蝋、4MのEOを含むオキシエチレン化ソルビタンモノステアレート、200MのEOを含むオキシエチレン化ソルビタントリイソステアレート、6MのEOを含むオキシエチレン化ソルビタンヘキサステアレート、120MのEOを含むオキシエチレン化メチルグルコシドジオレエート、75MのEOを含むオキシエチレン化シア脂、25MのEOを含むオキシエチレン化ヒマシ油、又は6Mのグリセロールを含むポリグリセロール化パルミトステアレートを含む；
・水素化オイル又は水素化ワックス、例えば水素化された菜種油、マカダミア油、ヒマシ油、綿実油、大豆油、ホホバ油、パーム油、米糠油又はヒマワリ油、及び水素化されたヒマワリワックス；
・直鎖又は分岐、飽和又は不飽和C7-C30モノカルボン酸とヒドロキシ酸とのエステル化によって得られる酸の塩。その中でも、特にナトリウムラウロイルラクチレート及びナトリウムベヘノイルラクチレートを挙げることができる；
【００１４】
・モノマーの少なくとも1種が、エステルであるポリマー。これらのポリマーは、ホモポリマー又はコポリマーであり得る。これらは、ノニオン性、アニオン性、カチオン性又は両性であり得、また特にラジカル重合によって得ることができる。列挙可能なホモポリマーの例としては、ポリ(メチルメタクリレート)、ポリ(ビニルアセテート)、ポリカプロラクトン、ポリ(ステアリルアクリレート)及びポリ(エチルアクリレート)を挙げることができ、また列挙可能なコポリマーとしては、酢酸ビニルとエチレンとのコポリマー、酢酸ビニル/ビニルベルサテート(versatate)/ブチルアクリレートコポリマー、アクリル酸/ステアリルメタクリレートコポリマー、N-オクチルアクリルアミド/メチルメタクリレート/ヒドロキシプロピルメタクリレート/アクリル酸/t-ブチルアミノエチルメタクリレートコポリマー、乳酸/ビニルピロリドン/ラウリルメタクリレートコポリマーを挙げることができる；及び
・少なくとも1種のポリ酸と、少なくとも1種のポリオールとの重縮合により得られるポリマー。これらポリマーとしては、ポリ(ネオペンチルグリコールテレフタレート)、ジグリコール/シクロヘキサンジメタノール/イソフタレート/スルホイソフタレートポリマー、ポリグリセロールとエイコサジオイック酸(eicosanedioic acid)とのポリエステル、トリメチロールプロパンとジメチロールプロピオン酸とのポリエステル、ポリエチレングリコールとアジピン酸とのポリマー、及びセバシン酸とブチレングリコールとのポリマーを挙げることができる。
【００１５】
本発明において特に好ましいエステルは、上記したような、直鎖又は分岐C7-C30モノカルボン酸と直鎖又は分岐C8-C30モノアルコールとのエステル；直鎖又は分岐C7-C30不飽和モノカルボン酸又は芳香族C6-C30モノカルボン酸と直鎖又は分岐C8-C30モノアルコールとのエステル；直鎖又は分岐C10-C30モノカルボン酸とエチレングリコールとのモノ-及びジ-エステル；直鎖又は分岐の、飽和又は不飽和のC10-C30モノカルボン酸とC3-ポリオールとのモノ-、ジ-又はトリ-エステル；直鎖又は分岐、飽和又は不飽和の、又は芳香族のC7-C30モノカルボン酸と、非-ポリオキシアルキレン化C4-C50ポリオールとのモノ-又はポリエステル；及びモノマーの少なくとも1種が、エステルであるポリマーから選択される。
これらのエステルは、1種又はそれ以上の固体又はペースト状の、及び好ましくは粉末状のアジュバントとの混合物として使用することができる。該アジュバントはクレー、塩、アニオン性、ノニオン性、カチオン性又は両性界面活性剤、天然又は合成増粘剤、場合により変性された澱粉、ガラスビーズ、シリカ、ナイロン、アルミナ、二酸化チタン、ゼオライト、ポリメチルメタクリレート(PMMA)、キトサン、マルトデキストリン、シクロデキストリン、モノ-又はジ-サッカライド、例えばグルコース、スクロース、ソルビトール又はフルクトース、酸化亜鉛、酸化ジルコニウム、シリカビーズ、タルク、ポリアスパラギン酸、ホウ珪酸塩、特にホウ珪酸カルシウム、ポリエチレン、綿、ポリテトラフルオロエチレン(PTFE)、セルロース及びその誘導体、超吸収性化合物、炭酸マグネシウム又は炭酸カルシウム、コーン種子、ポリアクリルアミド、多孔質ヒドロキシアパタイト、絹、コラーゲン、鋸屑、海草粉末、小麦、米、エンドウ、ルピナス種子、大豆又は大麦の粗粉又は抽出物、架橋したポリビニルピロリドン、アルギン酸カルシウム、活性炭素、及びポリ(ビニリデンクロリド/アクリロニトリル)粒子、特にアクゾノーベル(Akzo Nobel)社により一般名「エクスパンセル(ExpancelTM)」として、また個別的に「エクスパンセルWE」又は「エクスパンセルDE」として市販されているもの、及びこれらの混合物から選択される。
【００１６】
1種以上のアジュバントが存在する場合、本発明において使用する該エステルは、固体又はペースト状のアジュバント及びエステルの全質量を基準として、好ましくは0.5〜99質量％なる範囲、より一層好ましくは1〜80質量％なる範囲、及びさらに一層好ましくは2〜60質量％なる範囲の量で存在する。
本発明の方法において、植物又は植物抽出物を使用する場合、該浸透工程に先立って、これらを予備処理することができる。この予備処理は、乾燥、焙焼、低温粉砕又は、凍結乾燥処理であり得る。
本発明の方法に従って得た、ケラチン物質を処置するための化粧料組成物は、該エステル及び該流体の成分、即ち水及び/又は化粧学的に許容される溶媒に加えて、場合により、固体又はペースト状混合物として存在する該アジュバントの全て又はその幾分かを含むことができる。
本発明は、また本発明の上記方法により得ることのできる組成物にも係り、特に好ましい組成物は、如何なる保存剤をも含まない。
本発明の製造方法を利用することによって、ケラチン物質を処置するための化粧料組成物が得られ、この組成物は、該ケラチン物質に直接適用することができ、あるいは化粧学的に許容される媒体と混合することが可能であり、あるいはまた化粧品において従来から使用されている、少なくとも1種の添加物を、オペレータがこの組成物に添加することもできる。本発明の方法によって得られた、少なくとも2種の組成物を、一緒に混合することも可能である。上記のように、場合により混合し及び/又は添加物の添加により得られる、ケラチン物質を処置するための化粧料組成物は、以下において、最終的化粧処置用組成物又は最終組成物と呼ぶことにする。
【００１７】
本発明の一特定の態様は、如何なるヒトの介入も必要とせず、かつ場合により冷却手段を備えたデバイスによって、得られる組成物を適用する工程からなる。
該最終的化粧処置用組成物中に存在する該エステルの量は、該最終的化粧処置用組成物の全質量を基準として、一般に約0.001〜50質量％なる範囲、好ましくは0.005〜30質量％なる範囲及びより一層好ましくは0.01〜20質量％なる範囲内にある。
本発明の方法によって得られた化粧料組成物を、化粧学的に許容される媒体と混合する場合、該媒体は、一般に水又は水と、水に対する溶解度が十分でない成分を可溶化するための、少なくとも1種の有機溶媒との混合物からなる。
該用語「化粧学的に許容される(cosmetically acceptable)」とは、ケラチン物質及び特に皮膚、口唇及び/又は外皮と相溶性であり、かつ付随的に、利用者にとって快適な、外観、感触、香り又は場合によっては芳香を持つ媒体を意味する。
列挙することのできる有機溶媒の例は、例えばC1-C4低級アルコール、例えばエタノール及びイソプロパノール；ポリオール及びポリオールエーテル、例えば2-ブトキシエタノール、プロピレングリコール、プロピレングリコールモノメチルエーテル及びジエチレングリコールモノエチルエーテル及びジエチレングリコールモノメチルエーテル、及び芳香族アルコール、例えばベンジルアルコール又はフェノキシエタノール、及びこれらの混合物を含む。
これらの溶媒は、該最終的化粧処置用組成物の全質量を基準として、好ましくは凡そ1〜40質量％なる範囲、及びより一層好ましくは凡そ5〜30質量％なる範囲の割合で存在する。
【００１８】
また、化粧品において従来から使用されている、少なくとも1種の添加物を、本発明の方法によって得られた化粧学的処置用の組成物に添加することができる。列挙可能なこのような添加物の例としては、アニオン性、カチオン性、ノニオン性、両性又は双性イオン性界面活性剤又はその混合物、アニオン性、カチオン性、ノニオン性、両性又は双性イオン性ポリマー又はその混合物、無機又は有機増粘剤、及び特にアニオン性、カチオン性、ノニオン性及び両性ポリマー会合性の増粘剤、酸化防止剤、浸透剤、金属イオン封鎖剤、香料、バッファー、分散剤、上記以外のコンディショニング剤、例えばシリコーンオイル、フィルム形成剤、保存剤及び乳白剤を挙げることができる。
上記添加物は、該添加物各々に対して、一般に該最終組成物の全質量を基準として、0.01〜20質量％なる範囲内の量で存在する。
勿論、当業者は、この又はこれら随意の化合物を、本発明による化粧料組成物と関連する固有の有利な諸特性が、もくろまれた添加により悪影響を受けず、あるいは実質的に悪影響を受けないように、選択すべく注意するであろう。
【００１９】
該最終的化粧処置用組成物のpHは、一般に3〜12なる範囲、及び好ましくは5〜11なる範囲にある。これは、通常化粧品において使用されている酸性化剤又は塩基性化剤を用いて、あるいはまた標準的な緩衝系を用いて、所定値に調節できる。
列挙できる酸性化剤は、例えば無機又は有機酸、例えば塩酸、オルトリン酸、硫酸、カルボン酸、例えば酢酸、酒石酸、クエン酸及び乳酸、及びスルホン酸である。
列挙できる塩基性化剤は、例えばアンモニア、アルカリ炭酸塩、アルカノールアミン、例えばモノ-、ジ-及びトリ-エタノールアミン及びその誘導体；水酸化ナトリウム、水酸化カリウム、及び以下の式で表される化合物である：
【化１】
2005213265.tif 000002
ここで、Wは場合によりヒドロキシル基又はC1-C4アルキル基で置換されていてもよい、プロピレン残基であり、Ra、Rb、Rc及びRdは同一でも、異なっていてもよく、水素原子、C1-C4アルキル基又はC1-C4ヒドロキシアルキル基を表す。
【００２０】
該最終的化粧処置用組成物は、様々な形状、例えば液体、クリーム又はゲル、又はケラチン物質、及び特に皮膚又は毛髪、より特定的には毛髪を処置するのに適した任意の他の形状を採ることができる。
該最終的化粧処置用組成物は、例えばシャンプー、洗い流される又は付けたまま残されるコンディショナー、ディープダウン(deep-down)ケアマスク、シャワージェル、又はケラチン物質を処置するためのローション又はクリームとして使用することもできる。
本発明は、またケラチン物質を化粧学的に処置するための方法にも関連し、この方法は、上に定義したような方法に従って、化粧処置用組成物を調製する工程及びこの組成物を、例えばオペレータにより、あるいはヒトの介入を全く必要としないデバイスにより、該ケラチン物質に適用する工程を含む。その適用時間は、15秒〜1時間なる範囲にある。
【００２１】
その適用に先立って、本発明の方法に従って得た該化粧処置用組成物を、上記のような化粧学的に許容される媒体及び/又は1種又はそれ以上の化粧品において従来使用されている添加物と混合することができる。
もう一つの態様は、本発明の方法に従って、少なくとも2種の化粧処置用組成物を製造する工程と、これら組成物を一緒に混合する工程と、場合により、上記のような、化粧学的に許容される媒体及び/又は1種又はそれ以上の化粧品において従来使用されている添加物を添加する工程と、これに続くこの得られた最終組成物を、該ケラチン物質に適用する工程からなる。
以下の例は、本発明を例示するためのものである。
【００２２】
例１
以下の固体成分を、固体混合物全質量を基準とする、質量％で表された、指定された割合で、一緒に混合する：
−  30％のミリスチルミリステート
−  30％のコグニス(Cognis)社によって、デハイカート(DehyquartTM) F30なる商品名で市販されている、ジパルミトイル-エチルヒドロキシエチルメチルアンモニウムメトサルフェート/セテアリール(cetearyl)アルコール
−  40％のスクロースパルミトステアレート
この混合物5gを、市販のエスプレッソ装置に投入した。次いで、最終体積50mlを有する組成物（A)が得られるまで、蒸気をこの混合物に通じた。
このようにして、直に毛髪に適用することのできる、化粧処置用の組成物を得た。
かくして、毛髪の改善された滑らかさ及び柔軟性が達成された。
適用を容易にするために、該組成物(A)の2質量部を、1質量部の水性組成物(B)に添加することができる。この組成物(B)は、1質量％のヒドロキシエチルセルロースを含む。
【００２３】
例２
以下の固体成分を、固体混合物全質量を基準とする、質量％で表された、指定された割合で、一緒に混合する：
−  10％のエチレングリコールジステアレート
−  20％のアベベ(Avebe)社によりプリモジェル(Primojel)なる商品名の下で市販されている、僅かに架橋されたナトリウム塩としての、カルボキシメチル澱粉(馬鈴薯澱粉粉末)
−  70％のコグニス社によって、テキサポン(TexaponTM) Z95Pなる商品名で市販されている、粉末状態にあるラウリル硫酸ナトリウム。
この混合物5gを、市販のエスプレッソ装置に投入した。次いで、最終体積50mlを有する組成物（A)が得られるまで、蒸気をこの混合物に通じた。
このようにして、直に毛髪に適用することのできる、化粧処置用の組成物を得た。
かくして、毛髪の改善された滑らかさ及び柔軟性が達成された。
適用を容易にするために、該組成物(A)の2質量部を、1質量部の水性組成物(B)に添加することができる。この組成物(B)は、1質量％のヒドロキシエチルセルロースを含む。
【外国語明細書】
2005213265.tif 000003
2005213265.tif 000004
2005213265.tif 000005
2005213265.tif 000006
2005213265.tif 000007
2005213265.tif 000008
2005213265.tif 000009
2005213265.tif 000010
2005213265.tif 000011
2005213265.tif 000012
2005213265.tif 000013
2005213265.tif 000014
2005213265.tif 000015
2005213265.tif 000016
2005213265.tif 000017
2005213265.tif 000018
2005213265.tif 000019
2005213265.tif 000020
2005213265.tif 000021
2005213265.tif 000022